【事件の表示】
　特許第２９５３６８９号「検眼装置」に係る特許に対する特許異議の申立てについて、次のとおり決定する。
【結　論】
　訂正を認める。
　特許第２９５３６８９号に係る特許を維持する。
【理　由】
１　手続の経緯
　本件特許第２９５３６８９号の出願は、昭和６２年１月２０日に出願した特願昭６２−１１７４４号の一部を新たな特許出願とした特願平２−２１２６２８号の一部をさらに平成９年９月５日に新たな特許出願としたものであり、平成１１年７月１６日に発明の数１として特許権の設定登録がなされた後、本件特許異議の申立てがなされ、取消理由通知がなされ、その指定期間内である平成１２年９月１３日に訂正請求がなされた。
２　訂正の適否
（１）訂正の内容
　特許権者が求める訂正は、次のとおりである。
【訂正事項１】
　特許請求の範囲第１項の記載を次のとおり訂正する。
「１．　被検眼角膜に向けて指標を投影し、その像の位置を検出する測定光学系の検出結果に基づいて角膜形状を得る装置であって、該測定光学系の焦点距離が固定である角膜形状測定装置において、前記測定光学系の二次元撮像素子で撮像されフレームメモリに記憶された画像を画像処理して作動距離検出用の指標を検知することにより、所定の作動距離に対する測定時の作動距離の変化を検出する作動距離検出手段と、該作動距離検出手段で検出された変化量及び前記測定光学系の検出結果に基づいて作動距離の変化が補正された角膜形状を演算する演算手段と、該演算手段により得られた角膜形状を表示するディスプレイと、を有することを特徴とする角膜形状測定装置。」
【訂正事項２】
　特許請求の範囲の訂正に伴い、【０００６】を次のとおり訂正する。
　「（１） 被検眼角膜に向けて指標を投影し、その像の位置を検出する測定光学系の検出結果に基づいて角膜形状を得る装置であって、該測定光学系の焦点距離が固定である角膜形状測定装置において、前記測定光学系の二次元撮像素子で撮像されフレームメモリに記憶された画像を画像処理して作動距離検出用の指標を検知することにより、所定の作動距離に対する測定時の作動距離の変化を検出する作動距離検出手段と、該作動距離検出手段で検出された変化量及び前記測定光学系の検出結果に基づいて作動距離の変化が補正された角膜形状を演算する演算手段と、該演算手段により得られた角膜形状を表示するディスプレイと、を有することを特徴とする。」
（２）訂正の目的の適否、新規事項の有無及び拡張・変更の存否
　訂正事項１は、（ａ）「測定光学系の検出結果に基づいて角膜形状を得る角膜形状測定装置」に「測定光学系の焦点距離が固定である」の構成を付加するとともに、（ｂ）「所定の作動距離に対する測定時の作動距離の変化を検出する作動距離検出手段」に「前記測定光学系の二次元撮像素子で極像されフレームメモリに記憶された画像を画像処理して作動距離検出用の指標を検知する」の構成を付加するもので、特許請求の範囲の減縮を目的とする。
　また、訂正（ａ）については、特許明細書の記載（【００２２】〜【００２４】）及び図１の配置関係より、測定光学系の焦点距離が固定である構成が開示され、訂正（ｂ）については、特許明細書の記載（【００２６】〜【００３０】）及び図７に示す電気系のブロック回路図により、測定光学系の二次元撮像素子で撮像され、フレームメモリに記憶された画像を画像処理して作動距離検出用の指標を検知する構成が開示されていることから、訂正事項１は、願書に添付した明細書又は図面に記載した事項の範囲内のものであり、実質上特許請求の範囲を拡張し、又は変更するものではない。
　訂正事項２は、訂正された特許請求の範囲の記載と発明の詳細な説明の記載を整合させるための訂正であり、不明りょうな記載の釈明を目的とするもので、願書に添付した明細書又は図面に記載した事項の範囲内のものであり、実質上特許請求の範囲を拡張し、又は変更するものではない。
（３）　以上のとおりであるから、上記訂正は、特許法等の一部を改正する法律（平成６年法律１１６号。以下「平成６年改正法」という。）附則６条１項の規定によりなお従前の例によるとされる、特許法第１２０条の４第３項において準用する平成６年改正法による改正前の特許法１２６条１項ただし書、２項及び３項の規定に適合するので、当該訂正を認める。
３　特許異議の申立てについての判断
（１）申立ての理由の概要
　申立人株式会社トプコンは、本件発明は、甲第１号証（特開昭５９ 一２３０５３６号公報）に記載された発明と実質的に同一であるから、特許法２９条１項３号に該当するし、また甲第１号証又は甲第２号証（特開昭６１一２６８２２８号公報）に記載された発明に基づいて当業者が容易に発明をすることができたものであるから、特許を取り消すべきであると主張している。
（２）本件発明
　上記２で示したように、訂正が認められるから、本件発明は、訂正請求に係る訂正明細書の特許請求の範囲第１項に記載された次のとおりのものと認められる。
　「被検眼角膜に向けて指標を投影し、その像の位置を検出する測定光学系の検出結果に基づいて角膜形状を得る装置であって、該測定光学系の焦点距離が固定である角膜形状測定装置において、前記測定光学系の二次元撮像素子で撮像されフレームメモリに記憶された画像を画像処理して作動距離検出用の指標を検知することにより、所定の作動距離に対する測定時の作動距離の変化を検出する作動距離検出手段と、該作動距離検出手段で検出された変化量及び前記測定光学系の検出結果に基づいて作動距離の変化が補正された角膜形状を演算する演算手段と、該演算手段により得られた角膜形状を表示するディスプレイと、を有することを特徴とする角膜形状測定装置。」
（３）刊行物に記載された発明
　特許異議申立人が証拠として提示した刊行物には、それぞれ、以下のような発明が記載されている。
　刊行物１：特開昭５９ 一２３０５３６号公報（甲第１号証）
　「眼科装置特に被検眼の角膜形状を測定する装置」（１頁右欄５〜６行）に関し、被検眼角膜（Ｅｃ）に向けて指標（測定指標たる光源Ｌａ、Ｌｂ）を投影し、その像の位置を検出する測定光学系（結像レンズ、テレビカメラ４）の検出結果に基づいて角膜形状を表す角膜曲率を得る装置が記載されている（第１、２図）。
　また、測定時に被検眼が所定位置から光軸方向にずれると、視標光源Ｌａ、Ｌｂを見込む角度θ及び結像光学系の撮影倍率ｍが変化することにより、従来のように作動距離が一定で、総合倍率Ｍが一定という前提では、角膜形状測定が正確に行えない（２頁左上欄９〜１５行、３頁左上欄１４〜右上欄１行参照）という認識のもとに、「本発明は上述した欠点を解決するものであり、作動距離の変化に応じた総合倍率Ｍを検出し、撮像面上での反射鏡の間隔ｄをＭで除算することにより、すなわち両者の比を求めて角膜曲率Ｒを安定して測定できるようにしたものである。第２図で被検眼が光軸方向に動いて作動距離が変化する場合、非合焦の状態となるが、合焦の状態とすべく結像レンズ１のフォーカシングレンズ部を光軸方向に移動させる。
　そして、プリセット位置から合焦となる位置までのズームレンズであるフォーカシングレンズ部の移動量から」（３頁右上第１１〜左下欄２行）、作動距離ｕ等を算出することが記載されている。
　総合倍率Ｍは、指標光源Ｌａ、Ｌｂ（第２図参照）からの照明主光線と測定光軸のなす角度をθ、結像レンズ１の撮影倍率をｍとして、Ｍ＝（２ｓｉｎ（θ／２））×ｍと表され（３頁左上欄１行）、総合倍率Ｍは作動距離ｕの関数（第３図参照）であることが認められる。
　さらに、算出された角膜曲率Ｒの値を示す文字データがモニタ画面上に映写される旨（４頁右上欄１５〜２０行参照）記載されている。
刊行物２：特開昭６１一２６８２２８号公報（甲第２号証）
　「被検眼眼底に測定ターゲット像を投影し、この測定ターゲット像の合焦状態を検出して被検眼の屈折度数を測定する測定系を有する眼屈折力測定装置において、
　前記測定系光軸方向での被検眼の適正位置からのずれ量を検出する被検眼位置検出系と、その検出結果に基づいて前記屈折度数の測定結果を補正する補正手段が設けられていることを特徴とする眼屈折力測定装置。」（特許請求の範囲第１項）
（４）対比・判断
　本件発明と刊行物１、２に記載された発明とを対比すると、訂正された構成要件に係る「測定光学系の焦点距離が固定である」点、及び「測定光学系の二次元撮像素子で撮像されフレームメモリに記憶された画像を画像処理して作動距離検出用の指標を検知する」点は、いずれの発明にも開示ないし示唆するところはない。
　すなわち、刊行物１記載の発明は、被検眼角膜に向けて指標を投影し、その像の位置を検出する測定光学系の検出結果に基づいて角膜形状を得る装置であって、作動距離の変化が補正された角膜形状を演算する演算手段と、該演算手段により得られた角膜形状を表示するディスプレイとを有する角膜形状測定装置が記載されているものの、被検眼が結像面上に合焦して結像されるように移動するフォーカシング手段と、該フォーカシング手段の移動量より結像光学系の投影倍率の積である総合倍率に関する出力を得て角膜形状を得るものであって、「測定光学系の焦点距離が固定である」角膜形状測定装置に対する作動距離の誤差を補正するものではなく、「測定光学系の二次元撮像素子で撮像されフレームメモリに記憶された画像を画像処理して作動距離検出用の指標を検知する」ことにより、所定の作動距離に対する測定時の作動距離の変化を検出するものではない。
　刊行物２記載の発明は、被検眼眼底に測定ターゲット像を投影する眼屈折力測定装置であり、被検眼角膜に向けて指標を投影する角膜形状測定装置ではなく、角膜形状測定装置に適用することを示唆するものではない。また、「測定光学系の二次元撮像素子で撮像されフレームメモリに記憶された画像を画像処理して作動距離極出用の指標の位置を得る」ことにより、所定の作動距離に対する測定時の作動距離の変化を検出することを開示するものでもない。
　そして、本件発明は、その構成により、明細書記載の効果を奏することが認められる。
　したがって、本件発明は、刊行物１に記載された発明と同一ではなく、刊行物１及び刊行物２に記載された発明に基づいて当業者が容易に発明をすることができたものでもない。
（５）むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律１１６号）附則１４条の規定に基づく、特許法等の一部を改正する法律の施行に伴う経過措置を定める政令（平成７年政令第２０５号）第４条第２項の規定により、上記のとおり決定する。
【異議決定日】
平成１２年１１月３０日（２０００．１１．３０）
【訂正の要旨】
訂正の要旨
　【訂正事項１】
　特許請求の範囲の減縮を目的として、特許請求の範囲第１項の記載を次のとおり訂正する。
「１．　被検眼角膜に向けて指標を投影し、その像の位置を検出する測定光学系の検出結果に基づいて角膜形状を得る装置であって、該測定光学系の焦点距離が固定である角膜形状測定装置において、前記測定光学系の二次元撮像素子で撮像されフレームメモリに記憶された画像を画像処理して作動距離検出用の指標を検知することにより、所定の作動距離に対する測定時の作動距離の変化を検出する作動距離検出手段と、該作動距離検出手段で検出された変化量及び前記測定光学系の検出結果に基づいて作動距離の変化が補正された角膜形状を演算する演算手段と、該演算手段により得られた角膜形状を表示するディスプレイと、を有することを特徴とする角膜形状測定装置。」
　【訂正事項２】
　不明瞭な記載の釈明として、明細書段落番号【０００６】を次のとおり訂正する。
　「（１）被検眼角膜に向けて指標を投影し、その像の位置を検出する測定光学系の検出結果に基づいて角膜形状を得る装置であって、該測定光学系の焦点距離が固定である角膜形状測定装置において、前記測定光学系の二次元撮像素子で撮像されフレームメモリに記憶された画像を画像処理して作動距離検出用の指標を検知することにより、所定の作動距離に対する測定時の作動距離の変化を検出する作動距離検出手段と、該作動距離検出手段で検出された変化量及び前記測定光学系の検出結果に基づいて作動距離の変化が補正された角膜形状を演算する演算手段と、該演算手段により得られた角膜形状を表示するディスプレイと、を有することを特徴とする。」
（５４）【発明の名称】
検眼装置
（５７）【特許請求の範囲】
　１．　被検眼角膜に向けて指標を投影し、その像の位置を検出する測定光学系の検出結果に基づいて角膜形状を得る
装置であって該測定光学系の焦点距離が固定である
前記測定光学系の二次元撮像素子で撮像されフレームメモリに記憶された画像を画像処理して作動距離検出用の指標を検知することにより、
　２．　請求項１の角膜形状測定装置において、前記演算手段は前記作動距離の変化による像倍率の変化に基づく誤差を補正することを特徴とする角膜形状測定装置。
　３．　請求項１の角膜形状測定装置において、前記演算手段は前記作動距離の変化による角膜反射光の主光線の角度変化に基づく誤差を補正することを特徴とする角膜形状測定装置。
【発明の詳細な説明】
　　　【０００１】
　　【発明の属する技術分野】
　本発明は、眼の角膜形状を自動的に補正する角膜形状測定装置に関する。
　　　【０００２】
　　【従来の技術】
　角膜曲率測定装置、眼屈折力測定装置、非接触式眼圧計等の検眼装置では、被検眼に対して装置を上下左右方向にアライメント調整するとともに、作動距離方向にアライメント調整して検眼を行っている。
　　　【０００３】
　　【発明が解決しようとする課題】
　しかしながら、上下左右方向に加えて作動距離方向も正確にアライメント調整することは容易でなく、作動距離方向のアライメント調整が正確でないと、測定誤差の要因になるという欠点があった。
　　　【０００４】
　本発明は上記問題点に鑑み、作動距離の違いによる測定誤差をなくし、アライメントを容易に行うことができる角膜形状測定装置を提供することを技術課題とする。
　　　【０００５】
　　【課題を解決するための手段】
　本発明は上記課題を解決するために、以下のような構成を備えることを特徴とする。
　　　【０００６】
　（１）　被検眼角膜に向けて指標を投影し、その像の位置を検出する測定光学系の検出結果に基づいて角膜形状を得る
装置であって、該測定光学系の焦点距離が固定である
前記測定光学系の二次元撮像素子で撮像されフレームメモリに記憶された画像を画像処理して作動距離検出用の指標を検知することにより、
　　　【０００７】
　（２）　（１）の角膜形状測定装置において、前記演算手段は前記作動距離の変化による像倍率の変化に基づく誤差を補正することを特徴とする。
　　　【０００８】
　（３）　（１）の角膜形状測定装置において、前記演算手段は前記作動距離の変化による角膜反射光の主光線の角度変化に基づく誤差を補正することを特徴とする。
　　　【０００９】
　　【実施例】
　まず、本実施例の前提となる測定原理を説明する。なお、理解が容易なように対物レンズの像側焦点位置にテレセントリック絞りが配置され、光軸に平行な光束を取り出す場合で説明する。
　　　【００１０】
　図５は、本発明の実施例の測定原理を説明する図で、所定の距離から円環状の指標を角膜上に投影したときに、角膜上にできる角膜反射像を表しているものとする。図示なき円環状の指標を角膜上に投影した際、角膜が球面の場合は、半径ａの円ができる。角膜がトーリック面の場合長径線ｂ１、短径線ｂ２の楕円ができる。ここで、円上の点（Ａ）（Ｂ）が楕円状の（Ａ´）（Ｂ´）に対応しているものとする。さらに、楕円は原点を中心にｘ軸より（θ）だけ傾いているものとする。
　　　【００１１】
　ここで、（Ａ）から（Ａ´）への変化量の（ｘ，ｙ）成分をそれぞれ（ΔＡｘ）（ΔＡｙ）、（Ｂ）から（Ｂ´）への変化量の（ｘ，ｙ）成分をそれぞれ（ΔＢｘ）（ΔＢｙ）とすると、以下の関係が成立する。
　　　【００１２】
　【数１】
ΔＡｘ＝ｂ１ｃｏｓ２θ＋ｂ２ｓｉｎ２θ−ａ　　　　　（１）
ΔＡｙ＝（ｂ１−ｂ２）ｓｉｎθ・ｃｏｓθ　　　　　　（２）
ΔＢｘ＝（ｂ１−ｂ２）ｓｉｎθ・ｃｏｓθ　　　　　　（３）
ΔＢｙ＝ｂ１ｓｉｎ２θ＋ｂ２ｃｏｓ２θ−ａ　　　　　（４）
　これにより、ｂ１，ｂ２，θは次の式で表すことができる。
　　　【００１３】
　【数２】
ｂ２＝ΔＢｙ＋ΔＡｘ＋２ａ−ｂ１　　　　　　　　　　（６）
　さらに（Ａ´）と対称な点（Ｃ´）の位置を検出し、（Ａ´）と（Ｃ´）の２点間の中心を求めることにより原点Ｏの位置を求める。
　　　【００１４】
　以上、基準円内の点（Ａ）（Ｂ）（Ｃ）の各（ｘ，ｙ）座標をあらかじめ記憶させるとともに、形状が未知の角膜によりできる点（Ａ）（Ｂ）（Ｃ）の各（ｘ，ｙ）座標を検出することにより、角膜形状の測定が可能となる。
　　　【００１５】
　次に、楕円形状と角膜トーリック面形状との関係について、図６により説明する。
　　　【００１６】
　光軸Ｏに対しαの角度をもってコリメイトされた点光源を角膜上に投影する。このときできる像の光軸からの距離をｂ１とすると、この断面における角膜曲率半径Ｒｂ１は次式により表すことができる。
　　　【００１７】
　【数３】
　同様に光軸Ｏからの距離ｂ２の像ができるときの角膜曲率半径Ｒｂ２は次式により表すことができる。
　　　【００１８】
　【数４】
　（８）、（９）式に（５）、（６）式を代入することにより、長径のＲｂ１、短径のＲｂ２を求めることができる。
　　　【００１９】
　なお、検出光学系にテレセントリック光学系を用いない場合は角膜反射像からの主光線は被検眼の光軸と平行ではないから検出像の位置と求める角膜上での像の位置とは異なるので、正確を期するためにはこれを補正することが必要である。尤も、開口の位置を調整すればその誤差は非常に小さくなるので、これを無視しても実用上問題は小さい。
　　　【００２０】
　因みに、角膜反射像からの主光線と光軸となす角をΔθとすると角膜曲率半径Ｒは、
　　　【００２１】
　【数５】
となることは容易に算出できる。
　　　【００２２】
　図１は上記の測定原理と基本的には同一な原理に基づく１実施例の光学系の配置図である。発光ダイオード等の点光源１ａ、１ｂより出射した光はコリメーティングレンズ２ａ、２ｂにより平行光束となり、被検眼角膜に光軸とαの角度をもって投影され、点光源像３ａ、３ｂができる。
　　　【００２３】
　同様に点光源を光軸に９０°回転させた位置にある図示なき点光源１ｃより出射した光は図示なき点光源像３ｃをつくる。
　　　【００２４】
　結像レンズ４は撮像素子７の撮像面と点光源像３ａ、３ｂ、３ｃが共役となる位置に配置され、撮像素子の撮像面上に点光源像が結像する。光路はロータリーソレノイド６で回転駆動される開口マスク５により変更される。
　　　【００２５】
　図４は、開口マスク５の形状例を示す。９は開いている開口部で、８は閉じている開口部である。
　　　【００２６】
　図７は、本発明の実施例の電気系のブロック回路図である。
　　　【００２７】
　撮像素子７は、ＣＣＤを使用したＴＶカメラ２１である。このＴＶカメラは標準ＴＶ信号を出力するものであればとくに問題はないが、小型で撮像歪のない等の特徴があるＣＣＤＴＶカメラが有利である。ＴＶカメラからの信号は、同期信号を含んだコンポジットビデオ信号であるが、後に水平垂直の同期信号を分離しなければならないことを考えると外部同期式のセパレートタイプの出力を持つＴＶカメラがよい。
　　　【００２８】
　ＴＶカメラ２１からの映像信号は、コンポジットビデオ信号の場合同期分離回路２２を必要とする。ここでビデオ信号と同期信号が分離される。分離された同期信号は、水平・垂直同期分離回路２８によって水平同期信号と垂直同期信号に分離される。これらの同期信号はフレームメモリ２６にビデオ信号を書き込むときのフレームメモリアドレスを生成するのに使う。
　　　【００２９】
　またビデオ信号は増幅器２３により、適当な振幅に増幅した後、Ａ／Ｄコンバータ２４に入力されデジタイズされる。デジタイズされた画像データは、同期信号に基づきフレームアドレスジュネレータ２９によって生成されたフレームメモリアドレスの番地のメモリに記憶される。
　　　【００３０】
　またＡ／Ｄコンバータを通した後の画像データ信号ラインの画像データバスと画像メモリの読み出しデータバスは理論演算ユニット３２にそれぞれ接続され、画像間演算が可能である。この画像間演算機能により始めに測定用の点光源が消灯時の画像を記憶した後、点光源が点灯している画像データから引き算することにより手術顕微鏡の観察照明による影響を除去できる。画像間演算された画像データはコンパレータ３３によって予め設定された輝度レベルと比較され、画像データの明るい部分のデータのみを取りだす。ここで取りだされるデータは、２種類あり、１つは輝度値、もう１つがフレームメモリアドレスで、撮像素子上の位置を示す。この２つのデータはデータメモリ３６に記憶される。この処理により点光源像を取り出すことが可能となる。データメモリ３６から周知の画像処理により各点光源像の中心座標が求められ、マイクロコンピュータ回路３７により前記した測定原理に基づく計算処理が行われ被検眼の角膜形状が求められる。
　　　【００３１】
　次に装置と被検眼との位置が所定の位置にない場合の測定値の誤差の補正を図２、図３に従って説明する。
　　　【００３２】
　作動距離の変化による測定値の誤差の補正の基本的な考え方は開口マスクの２つの位置における画像から得られた各点光源の位置変化量を求め、この値と２つの開口マスク間距離の変化量、結像レンズの焦点距離、結像レンズと撮像面までの距離等の値から作動距離の変化量を求めて補正する。
　　　【００３３】
　図２は測定時の作動距離を求める具体的な考え方を示す。
　　　【００３４】
　ｌは基準作動距離、ｌ´は測定時作動距離、Ｈは開口マスク間距離、ｈは測定時光束円の大きさ、ｆは結像レンズの焦点距離、ｍは結像レンズと撮像面までの距離、ｍ´は測定時結像レンズと結像点までの距離を示す。
　　　【００３５】
　測定時作動距離は次のようにして求める。
　　　【００３６】
　【数６】
（１１）より
　　　【００３７】
　【数７】
（１２）式を（１０）へ代入し、
　　　【００３８】
　【数８】
となる。
　　　【００３９】
　また前述したように、図６における角膜反射像からの光の主光線が光軸となす角Δθが作動距離によって変化するため角膜曲率半径Ｒの計算においては、
　　　【００４０】
　【数９】
Δθをその都度計算して利用する。
　　　【００４１】
　また、作動距離の変化に伴う結像光学系の倍率変化による測定誤差の補正は、結像レンズと撮像面までの距離によって求める。
　　　【００４２】
　図３はこの補正の基本的な考え方を示す図である。
　　　【００４３】
　ｈは基準作動距離での撮像面上での点光源像の高さを示す。ｌからｌ´へ作動距離が移動することにより撮像面上の像高さはｈからｈ１´〜ｈ２´となる。なお、Ｈは開口マスクと光軸との間距離とする。このときの結像点における像の高さをｇとすると、次式が成り立つ。
　　　【００４４】
　【数１０】
よって、
　　　【００４５】
　【数１１】
　故に、撮像面上の測定時の点光源像高さｈを基準作動距離ｌと測定時の作動距離ｌ´によって補正することにより正しい点光源像高さｈを求めることができる。以上示した方法により作動距離が異なっても測定誤差をなくすことができる。
　　　【００４６】
　以上のようにして、演算された角膜曲率半径はディスプレイ３８、プリンタ３９によって表示される他、他の機器にデータとして通信４０される。
　　　【００４７】
　なお、実施例中において投影手段としてコリメータ光学系を使っているが、作動距離の違いによる測定誤差を補正できるので、とくにコリメータ光学系を採用する必要はない。
　　　【００４８】
　一般に手術用顕微鏡には観察用のテレビカメラが設けられているので、本発明を手術用顕微鏡に応用するときはこのまま利用することができるので特に観察用の光学系を配置する必要がない。
　　　【００４９】
　また、点光源数を多くすることにより、測定精度が向上するほかに、被検眼角膜表面が凸凹なイレギュラー面の場合に点光源像の数が減少しても残りの点光源数によって計算を行うことが可能となる。
　　　【００５０】
　なお、本発明は検出系にテレセントリック光学系を用いた角膜形状測定装置にも使用することができることは明白である。
　　　【００５１】
　　【発明の効果】
　以上説明したように、本発明によれば、作動距離の違いによる測定誤差をなくすことができる。よって、アライメントが容易になる。
【図面の簡単な説明】
　　【図１】
　本発明の１実施例の光学系の配置図である。
　　【図２】
　測定値の誤差の補正を説明する説明図である。
　　【図３】
　測定値の誤差の補正を説明する説明図である。
　　【図４】
　開口マスクの形状例を示す図である。
　　【図５】
　本発明の実施例の測定原理を説明する説明図である。
　　【図６】
　角膜投影像と角膜トーリック面形状との関係を説明する説明図である。
　　【図７】
　本発明の実施例の電気系のブロック回路図である。
　　【符号の説明】
　１ａ，１ｂ　点光源
　４　対物レンズ
　５　開口マスク
　７　撮像素子
　２１　ＴＶカメラ
　２２　同期分離回路
　２６　フレームメモリ
　３２　理論演算ユニット
　３３　コンパレータ回路
　３６　データメモリ
　３７　マイクロコンピュータ回路